【手続補正書】
【提出日】平成19年8月10日(2007.8.10)
【手続補正１】
【補正対象書類名】明細書
【補正対象項目名】特許請求の範囲
【補正方法】変更
【補正の内容】
【特許請求の範囲】
【請求項１】  可撓性円筒形スリーブ上に継目のない円筒形感光性エレメントを形成する方法であって、
十分に硬直で、熱的に安定なスリーブ支持体上にスリーブを支持し、これによってスリーブとスリーブ支持体が単一の構造体として作動する工程であって、該スリーブ支持体が縦軸を有し、マンドレル上に装着されるように適合されている工程と、
実質的に融解した光重合可能な材料の流れをスリーブ上に供給する工程と、
スリーブ支持体と、スリーブ支持体の縦軸に沿った光重合可能な材料の供給との間に相対的な軸方向の動きを付与する工程と、
少なくとも１つの回転カレンダロールを用いて、スリーブ上で実質的に一定の厚さを有するように光重合可能な材料を計量しながら供給し、スリーブ支持体を回転させることによって、スリーブ上の融解された光重合可能な材料をカレンダリングする工程であって、前記付与する工程、カレンダリングする工程、および回転させることが、サンダー仕上、研削または追加のつや出し工程なしに材料の外周面を継目のない均一な状態につや出しし、これによって継目のない円筒形感光性エレメントを形成する工程と、
カレンダリング工程中に光重合可能な材料を加熱する工程
を含むことを特徴とする方法。
【請求項２】  実質的に融解した光重合可能な材料の流れをスリーブ上に供給する工程、少なくとも１つの回転カレンダロールを用いて、スリーブ上で実質的に一定の厚さを有するように光重合可能な材料を計量しながら供給し、スリーブを回転させて、サンダー仕上、研削または追加のつや出し装置を用いずに、材料の外周面を継目のない均一な状態につや出しすることによりスリーブ上の融解された光重合可能な材料をカレンダリングする工程、カレンダリング工程中に光重合可能な材料を加熱する工程とを含む、可撓性円筒形スリーブ上に継目のない円筒形感光性エレメントを形成する方法であって、
十分に硬直で、熱的に安定なスリーブ支持体上にスリーブを支持し、これによってスリーブとスリーブ支持体が単一の構造体として作動する工程であり、該スリーブ支持体が縦軸を有し、マンドレル上に装着されるように適合されている工程と、
スリーブ支持体とスリーブ支持体の縦軸に沿った光重合可能な材料の供給との間に相対的な軸方向の動きを付与する工程
を含むことを特徴とする方法。
【請求項３】  継目のない円筒形印刷エレメントを製作するための中間エレメントであって、
ａ）実質的に円筒形にスリーブを維持するための、十分に硬直で熱的に安定なスリーブ支持体上に装着された少なくとも１つのポリマーフィルムの中空の円筒形スリーブであって、該スリーブ支持体がマンドレル上に装着されるのに適合したもの、および
ｂ）スリーブの外面上の光重合可能な材料の少なくとも１層の継目のない層、
を含むことを特徴とする中間エレメント。
【手続補正２】
【補正対象書類名】明細書
【補正対象項目名】００４１
【補正方法】変更
【補正の内容】
【００４１】
【発明の効果】
本発明の方法によれば、受け入れ可能な寸法均一性を有する円筒形感光性印刷エレメントを形成することができる。
本出願は、特許請求の範囲の欄に記載した発明を復命化の発明を包含する。
（１）可撓性円筒形スリーブ上に継目のない円筒形感光性エレメントを形成する方法であって、
十分に硬直で、熱的に安定なスリーブ支持体上にスリーブを支持し、これによってスリーブとスリーブ支持体が単一の構造体として作動する工程であって、該スリーブ支持体が縦軸を有し、マンドレル上に装着されるように適合されている工程と、
実質的に融解した光重合可能な材料の流れをスリーブ上に供給する工程と、
スリーブ支持体と、スリーブ支持体の縦軸に沿った光重合可能な材料の供給との間に相対的な軸方向の動きを付与する工程と、
少なくとも１つの回転カレンダロールを用いて、スリーブ上で実質的に一定の厚さを有するように光重合可能な材料を計量しながら供給し、スリーブ支持体を回転させてサンダー仕上、研削または追加のつや出し工程なしに材料の外周面を継目のない均一な状態につや出しすることによりスリーブ上の融解された光重合可能な材料をカレンダリングし、これによって継目のない円筒形感光性エレメントを形成する工程と、
カレンダリング工程中に光重合可能な材料を加熱する工程
を含むことを特徴とする方法。
（２）  スリーブ支持体をマンドレル上に装着する工程をさらに含むことを特徴とする（１）に記載の方法。
（３）  スリーブ支持体が縦軸に沿って配置された、対向する端部を有し、各端部でスリーブ支持体を支持する工程をさらに含むことを特徴とする（１）に記載の方法。
（４）  スリーブ支持体の温度を制御する工程をさらに含むことを特徴とする（１）に記載の方法。
（５）  スリーブ支持体を冷却する工程をさらに含むことを特徴とする（４）に記載の方法。
（６）  相対的な軸方向の動きを付与する工程が、光重合可能な材料の供給を軸方向に固定したまま、スリーブ支持体とスリーブを縦軸に沿って一緒に動く工程を含むことを特徴とする（１）に記載の方法。
（７）  相対的な軸方向の動きを付与する工程が、スリーブ支持体およびスリーブを軸方向について固定したまま、光重合可能な材料の供給を縦軸に沿って動く工程を含むことを特徴とする（１）に記載の方法。
（８）  少なくとも１つの回転カレンダロールを縦軸に沿って動く工程をさらに含むことを特徴とする（７）に記載の方法。
（９）  スリーブ支持体が、マンドレルの軸方向の長さよりも短い軸方向の長さを有することを特徴とする（２）に記載の方法。
（１０）  継目のない円筒形感光性エレメントが、少なくとも１つのカレンダロールの軸方向の長さよりも長い軸方向の長さを有することを特徴とする（１）に記載の方法。
（１１）  少なくとも１つのカレンダロールが、所定の回転速度を有し、スリーブ支持体が所定の回転速度を有する（１）に記載の方法であって、該方法が、カレンダロールの回転速度をスリーブ支持体の回転速度から独立に制御する工程をさらに含むことを特徴とする方法。
（１２）  円筒形感光性エレメントをらせん状に形成する工程をさらに含むことを特徴とする（１）に記載の方法。
（１３）  実質的に融解した光重合可能な材料の流れをスリーブ上に供給する工程、少なくとも１つの回転カレンダロールを用いて、スリーブ上で実質的に一定の厚さを有するように光重合可能な材料を計量しながら供給し、スリーブ支持体を回転させてサンダー仕上、研削または追加のつや出し装置を用いずに材料の外周面を継目のない均一な状態につや出しすることによりスリーブ上の融解された光重合可能な材料をカレンダリングする工程、カレンダリング工程中に光重合可能な材料を加熱する工程とを含む、可撓性円筒形スリーブ上に継目のない円筒形感光性エレメントを形成する方法において、
十分に硬直で、熱的に安定なスリーブ支持体上にスリーブを支持し、これによってスリーブとスリーブ支持体が単一の構造体として作動する工程であって、該スリーブ支持体が縦軸を有し、マンドレル上に装着されるように適合されている工程と、
スリーブ支持体とスリーブ支持体の縦軸に沿った光重合可能な材料の供給との間に相対的な軸方向の動きを付与する工程
を含むことを特徴とする方法。
（１４）  継目のない円筒形印刷エレメントを製作するための中間エレメントであって、
ａ）実質的に円筒形にスリーブを維持するための、十分に硬直で熱的に安定なスリーブ支持体上に装着された少なくとも１つのポリマーフィルムの中空の円筒形スリーブであって、該スリーブ支持体がマンドレル上に装着されるのに適合したもの、および
ｂ）スリーブの外面上の光重合可能な材料の少なくとも１層の継目のない層、
を含むことを特徴とする中間エレメント。
（１５）  スリーブと少なくとも１層の継目のない層との間に配置された接着層をさらに含むことを特徴とする（１４）に記載の中間エレメント。
（１６）  スリーブの外面が接着促進面を有することを特徴とする（１４）に記載の中間エレメント。